(57)【要約】      （修正有）【課題】高年者ゴルファーの握力を補助し、飛距離と方向性を改善するゴルフグローブを提供する。【解決手段】ゴルフグローブ手のひら側の第一工程として通常のゴルフグローブと同じ厚さの約０．１ミリメートルの皮革材を５本指型に裁断し、第二工程で筋肉退化が最も進む小指または小指と薬指、および小指と親指の付け根からＵ型に連続する所謂土手部分に使用する厚さ約０．２ミリメートル以上の皮革材を、第一工程で作成した０．１ミリメートルのグローブ生地の表側または裏側に貼り付けて補強する。補強箇所の厚さを合計約０．３ミリメートル以上にして甲側と縫い合わせて製品化することにより、高年者ゴルファーの避け難い欠点であるインパクトの瞬間に起きる手元のエネルギーロスと不安定なスイングプレンを補強する。【選択図】図１
0003174273.tif 000002
【実用新案登録請求の範囲】
本考案は、通常は薄い程良いとされるゴルフグローブを改良し、手指筋肉の退化が急激に進む高年者ゴルファーの安定したスイングを目指すゴルフグローブで、ゴルフスイングは右利きの人は左、左利きの人は右である軸腕側のグリップの求心力が連動して利き腕側の遠心力を創り出すが、スイング前半のバックスイングは、軸腕側からの圧力を受けて利き腕側の身体全体が回転し、トップからダウンスイングが始まるとクラブグリップを軸手親指の先端に乗せたトップの梃子型支点は、親指の先端から親指につづく所謂土手方向へ移動をはじめ、親指とその付根からつづく所謂土手側への圧力を強めながら加速され、インパクトの瞬間に軸手の親指と親指につづく所謂土手によって上から押えられたクラブへの圧力は最大になり、その瞬間にダウンの前半で下向きであった手のひらは上向きに返されて左脇方向へ引き付けられ、クラブシャフトを支える梃子型支点は親指の先から親指の土手と小指に挟まれた位置まで移動してクラブシャフトを引き付ける一方で、遠心力による大きな円形を辿ろうとする利き腕側のグリップは身体から遠ざかろうとして握力も次第に弱くなり、胴側に近い位置で円運動する軸手の小指と薬指のグリップは、最後までクラブヘッドを身体側に引き付ける求心力となって強い遠心力を生み出す要となるが、高年者の手指筋肉の退化は日常的に使用頻度の高い親指と人差し指側が最も遅く、逆にクラブのグリップを最後までしっかりと握っていなければならない軸手の小指と薬指側の老化の進行は一番早い上に指関節も十分曲らず、親指や小指の付根につながる所謂土手部分の筋肉も落ちて、最も力が集中しなければならないインパクトの瞬間に軸手グリップの握りが弱くなるのに連動してクラブヘッドの遠心力も必然的に弱くなる上に、打球の衝撃を受けたクラブヘッドも踊るような状態になって安定しないという致命的な欠陥を補強するために、ゴルフグローブの手のひら側を、通常のグローブと同じ厚さ約０．１ミリメートルの皮革材を使用して一旦作り上げ、筋肉の退化が最も進む小指または小指と薬指および小指と親指に連続する所謂土手部分に相当するグローブ生地の表側または裏側に、通常の３倍以上の厚さとなる最低の厚さが約０．２ミリメートル以上の皮革材を貼り付けて合計約０．３ミリメートル以上の厚さとし、小指と薬指および親指と小指につづく所謂土手部分の握りを補強した上で甲側と縫い合わせて製品化し、甲側に使用する材料は季節に合わせて天然皮革でも、合成皮革でも、綿や網製品でも良いが、とくに冬用としては甲側を二重にして羊毛や防寒用綿類等を挿入した製品にすると、厳寒でも面倒な毛糸製の甲側カバーや綿入れの筒型カバーを重ねて使用する必要はなく、また小指と薬指と所謂土手部分を補強する皮革類は接着剤を付けて補強用の単独商品とすることもできるが、本考案のグリップ補強ゴルフグローブを使用することによって、高年者ゴルファーにとっては避け難い欠点であるインパクトの瞬間に起るグリップのエネルギーロスが大幅に改善されて、正しくスイングすれば飛球距離は伸びるし、方向性もスコアもまとまる上に、プレー年齢も伸すことができるグリップ補強ゴルフグローブである。
【考案の詳細な説明】
【技術分野】
【０００１】高年者用になると手指の筋肉が退化して、グリップに遊びができる状態になるが、小指と薬指および小指と親指につづく所謂土手部分を補強してグリップ力を強くするゴルフグローブに関するものである。
【背景技術】
【０００２】通常のゴルフグローブは薄い程良いとされるが、手指筋肉の衰えが目立つ高年者ゴルファーが増えているにも関わらず、高年者向きのゴルフグローブはまだ開発されていない。
【考案の開示】
【考案が解決しようとする課題】
【０００３】１．高年者ゴルファーのスイングプレンが狂う原因の一つは、親指側に比べて小指側と所謂土手部分の筋肉退化が目立ち、特に小指側の握力の衰弱が急激に進むことであるが、その弱ったグリップ力を補強するゴルフグローブを製作する。
２．通常のゴルフグローブは全体の厚さが約０．１ミリメートル程度であるが、本考案では小指と薬指および小指と親指につづく所謂土手部分に使用する皮革類の厚さを、通常の３倍以上または約０．３ミリメートル以上にして筋肉が痩せて握力の弱った部分を補強する。
３．冬季用としてグローブの甲側に毛糸や皮革類を被せて使用する製品や、筒型の防寒用綿類等を挿入した製品が市販されているが、本考案では甲側を二重にして袋型にし、羊毛または防寒用綿類を挿入した製品とする。
【課題を解決するための手段】
【０００４】１．通常のゴルフグローブは手のひら側の皮革類の厚さが約０．１ミリメートル程度で薄いほど良いとされているが、高年者のスイング強化を目指す本考案のグリップ補強ゴルフグローブでは強い遠心力を引き出すために、老化の進行とともに筋肉が落ちた小指・薬指および小指と親指につづく所謂土手部分を通常の３倍または約０．３ミリメートル以上の厚さにして、小指と薬指側の握りと求心力を強化する。
２．冬季用グローブは、甲側の皮革類を二重にして羊毛や防寒用綿類を挿入し、毛糸の甲側カバーや取り外しのできる筒型カバーを不必要にする。
【考案の効果】
【０００５】１．高年化するプレーヤーの軸腕の小指と薬指および小指と親指につづく所謂土手部分の衰えを補強することによって、高年者ゴルファーのスイングプレンが安定し、飛距離も方向性もスコアも改善される。
２．飛距離が伸びて方向性も安定する結果、高年者のゴルフ寿命が延びていつまでもゴルフを楽しめるようになる。
３．冬季用には甲側を二重にして羊毛や防寒用綿類等を挿入して暖かくしてあり、毛糸製の甲側カバーや取り外しのできる筒型カバー等を二重に使用する必要がなくなる。
【考案を実施するための最良の形態】１．手袋は５本指型とする。
２．甲側に使用する素材は、自然皮革か合成皮革または天然繊維か合成繊維等でもよく、また夏用として網製品でもよいが、とくに冬用としては甲側を二重構造にして羊毛や防寒用綿類等を挿入する。
３．手のひら側の第一工程として、通常のゴルフグローブと同じ厚さ約０．１ミリメートルの天然皮革または合成皮革等を５本指型に裁断する。
４．手のひら側の第二工程では、筋肉退化が最も進む小指または小指と薬指および小指と親指の根元から連続する所謂土手部分相当箇所に貼り合わせる部材として、厚さ約０．２ミリメートル以上の天然皮革または合成皮革等を裁断する。
５．手のひら側の第三工程では、第一工程と第二工程で作成した部材を縫い合わせるか貼り合わせて、補強箇所の厚さを合計０．３ミリメートル以上とする。
この場合、第二工程の部材の位置は外から見える外側の位置でも、外から見えない内側の位置でもよい。
６．甲側と手のひら側を縫い合わせるか、貼りつけて完成したゴルフグローブとする。
【図面の簡単な説明】
【図１】手のひら側平面図
【符号の説明】１．通常のゴルフグローブの手のひら側に使用されている厚さ約０．１ミリメートルの皮革類に、約０．２ミリメートル以上の皮革類を重ねて、合計０．３ミリメートル以上の厚さに補強した皮革類。
２．通常のゴルフグローブと同じ厚さの皮革類。
【図１】
0003174273.tif 000003
【手続補正書】
【提出日】平成23年10月18日(2011.10.18)
【手続補正１】
【補正対象書類名】実用新案登録請求の範囲
【補正対象項目名】全文
【補正方法】変更
【補正の内容】
【実用新案登録請求の範囲】
【請求項１】
本考案は、通常は薄いほど良いとされているゴルフグローブを改良し、手指筋肉の退化が急激に進む高年者ゴルファーの安定したスイングを実現するゴルフグローブで、ゴルフスイングは右利きの人は左、左利きの人は右である軸腕側のグリップの求心力が連動して利き腕側の遠心力を創り出すが、スイング前半のバックスイングは軸腕側と利き腕側の両肩が一体となって回転し、トップからダウンスイングが始まるとクラブグリップを軸手親指の先端に乗せたトップの梃子型支点は、親指の先端から親指につづく所謂土手方向へ移動をはじめ、親指とその付根からつづく所謂土手側への圧力を強めながら加速され、インパクトの瞬間に軸手の親指と親指につづく所謂土手によって上から押えられたクラブシャフトへの圧力は最大になり、その瞬間にダウンの前半で下向きであった手のひらは上向き返されて左脇方向へ引き付けられ、クラブシャフトを支える梃子型支点は軸手親指の先端から親指と人差指に挟まれた位置に移動する一方で、遠心力による大きな円形を辿ろうとする利き腕側のグリップは遠心力に引っ張られて握力も次第に弱くなるとともに、胴側に近い位置で円運動する軸手の小指と薬指は最後までクラブヘッドを身体側に引き付ける求心力になって強い遠心力を生み出す要となるが、高年者の手指筋肉の退化は日常的に使用頻度の高い親指と人差指側が遅く、逆にクラブを最後までしっかりと握っていなければならない軸手小指側の老化の進行が一番早い上に指関節も十分曲らず、親指や小指の付根につながる所謂土手部分の筋肉も落ちて、最も力が集中しなければならないインパクトの瞬間に軸手グリップの握りが弱くなるのに連動してクラブヘッドの遠心力も必然的に弱くなる上に、打球の衝撃を受けたクラブヘッドも踊るような状態になって安定しないという致命的な欠陥を補強するために、ゴルフグローブ手のひら側の第一工程として通常のゴルフグローブと同じ厚さの約０．１ミリメートルの皮革材を５本指型に裁断し、第二工程で筋肉退化が最も進む小指または小指と薬指、および小指と親指の付け根からＵ型に連続する所謂土手部分に使用する厚さ約０．２ミリメートル以上の皮革材を、第一工程で作成した０．１ミリメートルのグローブ生地の表側または裏側に貼り付けて補強し、補強箇所の厚さを合計約０．３ミリメートル以上にして甲側と縫い合わせて製品化することにより、高年者ゴルファーの避け難い欠点であるインパクトの瞬間に起きる手元のエネルギーロスと不安定なスイングプレンを補強するグリップ補強ゴルフグローブ。
【手続補正２】
【補正対象書類名】明細書
【補正対象項目名】全文
【補正方法】変更
【補正の内容】
【考案の詳細な説明】
【技術分野】
【０００１】高年者になると手指の筋肉が退化してグリップの遊びが大きすぎる状態になるが、小指と薬指および小指と薬指につづく所謂土手部分を補強して、グリップ力を補強するゴルフグローブに関するものである。
【背景技術】
【０００２】通常のゴルフグローブは薄いほど良いとされているが、手指筋肉の衰えが目立つ高年者ゴルファーが増えているにも関わらず、高年者向きのゴルフグローブはまだ開発されていない。
【考案の開示】
【０００３】１．高年者ゴルファーのスイングプレンが狂う原因の一つは、親指側に比べて小指側と所謂土手部分の筋肉退化が目立ち、特に小指側握力の衰弱が急激に進むことであるが、その弱ったグリップ力を補強したゴルフグローブを製作する。
２．ゴルフグローブの手のひら側の厚さは通常約０．１ミリメートル程度であるが、本考案では小指と薬指および小指と親指の付根につづく所謂土手部分に使用する皮革類の厚さを、通常の約３倍以上または約０．３ミリメートル以上にして握力の弱った部分を補強する。
【課題を解決するための手段】
【０００４】１．通常のゴルフグローブは手のひら側に使用する皮革類の厚さは約０．１ミリメートル程度で薄いほど良いとされているが、高年者のスイング強化を目指す本考案のグリップ補強ゴルフグローブでは、強い遠心力を引き出すために、老化の進行とともに筋肉が落ちた小指と薬指、および小指と薬指につづく所謂土手部分を通常の約３倍、または約０．３ミリメートルの厚さにして、小指と薬指側の握りを補強して求心力を強化する。
【考案の効果】
【０００５】１．高年化するプレーヤーの軸腕の小指と薬指、および小指と薬指につづく所謂土手部分の筋肉退化を補強することによってスイングプレンが安定し、飛距離も打球方向もスコアも改善される。
２．飛距離も打球方向もスコアも改善する結果、高年者のゴルフ寿命が延びていつまでもゴルフを楽しめるようになる。
【考案を実施するための最良の形態】
【０００６】１．手袋は５本指型とする。
２．甲側に使用する素材は自然皮革か合成皮革、または天然繊維か合成繊維等でもよい。
３．手のひら側の第一工程として、通常のゴルフグローブと同じ厚さ約０．１ミリメートルの天然皮革または合成皮革を５本指型に裁断する。
４．手のひら側の第二工程では、筋肉退化が最も進む小指または小指と薬指、および小指と薬指の付根から連続する所謂土手部分相当箇所に貼り合わせる部材として、厚さ約０．２ミリメートル以上の天然皮革または合成皮革を裁断する。
５．手のひら側の第三工程では、第一工程と第二工程で作成した部材を重ねて縫い合わせるか、貼り合わせて補強箇所の厚さを約０．３ミリメートル、その他の部分は約０．１ミリメートルの手のひら側部材を製作する。
この場合、第二工程で作成した部材の位置は外から見える位置でも、外から見えない内側に縫い合わせるか貼り付けても良い。
６．甲側部材と手のひら側部材を縫い合わせるか、貼り合わせて完成したゴルフグローブとする。
【図面の簡単な説明】
【０００７】
【図１】手のひら側図面
【符号の説明】
【０００８】１．通常のゴルフグローブの手のひら側に使用されている厚さ約０．１ミリメートルの皮革類に、厚さ約０．２ミリメートル以上の皮革類を重ねて、合計約０．３ミリメートル以上の厚さに補強した皮革類。
２．通常のゴルフグローブと同じ約０．１ミリメートルの皮革類。
【手続補正３】
【補正対象書類名】図面
【補正対象項目名】全図
【補正方法】変更
【補正の内容】
【図１】
0003174273.tif 000004